(57)【要約】      （修正有）【課題】通信線の布設工期を短縮でき、布設コストも削減可能で、分岐が予定された区間ごとに、光ファイバ心線とメタル対撚線との各分岐部を簡単に集約可能な分岐付光・メタル複合ケーブルを提供する。【解決手段】１本または複数本の光ファイバ心線１１と、２本のメタル心線が撚り合わされて構成された１本または複数本のメタル対撚線１２とをシース材により被覆して一体化させた光・メタル複合エレメント１４を、中心テンションメンバ１５の周囲に複数本集合させ、前記各光・メタル複合エレメントには、該光・メタル複合エレメントの長さ方向の分岐位置に、前記光ファイバ心線に接続される光分岐部１７と、前記メタル対撚線に接続されるメタル分岐部１８とを配設し、分岐付光・メタル複合ケーブルとする。【選択図】図１
0003156316.tif 000002
【実用新案登録請求の範囲】
【請求項１】
１本または複数本の光ファイバ心線と、２本のメタル心線が撚り合わされて構成された１本または複数本のメタル対撚線とをシース材により被覆して一体化させた光・メタル複合エレメントを、中心テンションメンバの周囲に複数本集合させ、
前記各光・メタル複合エレメントには、該光・メタル複合エレメントの長さ方向の分岐位置に、前記光ファイバ心線に接続される光分岐部と、前記メタル対撚線に接続されるメタル分岐部とが配設された分岐付光・メタル複合ケーブル。
【請求項２】
前記シース材は前記光ファイバ心線を支えるファイバ用テンションメンバを有し、かつ前記シース材は、前記メタル対撚線が管内に収納されるシース管部の一部と、前記光ファイバ心線および前記ファイバ用テンションメンバが一体的に封止されるシース柱部の一部とを、前記シース材の全長にわたってブリッジにより連結することで構成され、
前記シース柱部の外周面には、該シース柱部をその幅方向へ引き裂くことで前記光ファイバ心線を露出させるノッチが、前記シース柱部の長さ方向の全長にわたって形成された請求項１に記載の分岐付光・メタル複合ケーブル。
【考案の詳細な説明】
【技術分野】
【０００１】
この考案は分岐付光・メタル複合ケーブル、詳しくは通信用の光ファイバ心線とメタル対撚線とを複合させた分岐付光・メタル複合ケーブルに関する。
【背景技術】
【０００２】
近年、ビルやマンション（集合住宅）において、電源供給ラインを収納するＥＰＳに縦貫される通信幹線ケーブルとして、それまでの分岐付メタルケーブルに代わり、大容量のデータ通信が可能な光ファイバを内蔵した分岐付光ケーブルが知られている（特許文献１）。分岐付光ケーブルは、中心テンションメンバの周囲に複数本の光ファイバ心線をバインド線により縛り付け、分岐が予定された区間（各階）ごとに、ケーブル内の光ファイバ心線を分岐する光分岐部が配設されたものである。分岐付光ケーブルでは、布設後、各分岐部に各階へ配線される光用分岐ケーブルの光ファイバ心線が接続される。このように、布設後の分岐付光ケーブルは、光分岐部で接続作業のみを行うだけでよく、分岐接続の作業性が高まる。
一方、分岐付メタルケーブルは、分岐付光ケーブルと同じように、中心テンションメンバの周囲に複数本のメタル対撚線をバインド線により縛り付け、その後、分岐が予定された区間ごとに、ケーブル内のメタル対撚線を分岐するメタル分岐部が配設されたものである。布設後の分岐付メタルケーブルは、メタル分岐部で接続作業のみを行うだけでよい。
【特許文献１】特開２０００−２５８６７２号公報
【考案の開示】
【考案が解決しようとする課題】
【０００３】
しかしながら、近年は通信幹線ケーブルとして分岐付光ケーブルの導入が急増しているものの、依然として分岐付メタルケーブルの布設を要望する末端ユーザも存在する。その結果、分岐処理が施された通信幹線ケーブルを建物のＥＰＳに縦貫状態で吊り込む際、これら２種類の分岐付ケーブルを併設しなければならなかった。
また、両分岐付ケーブルがＥＰＳに離間状態で吊り込まれているため、吊り込み後の両分岐付ケーブルからは、分岐が予定された区間ごとに、光ファイバ心線の光分岐部とメタル対撚線のメタル分岐部とが分散していた。
【０００４】
そこで、考案者は鋭意研究の結果、光ファイバ心線とメタル対撚線とを１本の光・メタル複合エレメントに組み込み、このように構成された光・メタル複合エレメントを、中心テンションメンバの周囲に複数本集合させるようにすれば、上述した問題は全て解消されることを知見し、この考案を完成させた。
【０００５】
すなわち、この考案は、１本の通信幹線ケーブルを建物に吊り込むだけで、光ファイバ心線とメタル対撚線との２種類の通信線を建物の各階に布設可能で、これにより通信線の布設工期を短縮できるとともに、通信線の布設コストも削減可能で、しかも分岐が予定された区間ごとに、ケーブル内の光分岐部とメタル分岐部とを簡単に集約できる分岐付光・メタル複合ケーブルを提供することを目的としている。
【課題を解決するための手段】
【０００６】
請求項１に記載の考案は、１本または複数本の光ファイバ心線と、２本のメタル心線が撚り合わされて構成された１本または複数本のメタル対撚線とをシース材により被覆して一体化させた光・メタル複合エレメントを、中心テンションメンバの周囲に複数本集合させ、前記各光・メタル複合エレメントには、該光・メタル複合エレメントの長さ方向の分岐位置に、前記光ファイバ心線に接続される光分岐部と、前記メタル対撚線に接続されるメタル分岐部とが配設された分岐付光・メタル複合ケーブルである。
【０００７】
請求項１に記載の考案によれば、光ファイバ心線とメタル対撚線とが各光・メタル複合エレメントに組み込まれているので、従来のように分岐付光ケーブルと分岐付メタルケーブルの２種類（２本）のケーブルを、建物の例えばＥＰＳに吊り込む必要がない。すなわち、通信幹線ケーブルの現場での布設工事を１回で完了させることができる。その結果、建物の各階への光ファイバ心線とメタル対撚線とを含む通信線の布設工期を短縮できるとともに、通信線の布設コストも削減することができる。しかも、光・メタル複合エレメントの長さ方向の分岐位置（各階の位置）において、分岐付光・メタル複合ケーブル内の光ファイバ心線の分岐部と、メタル対撚線の分岐部とを簡単に集約させることができる。
【０００８】
分岐付光・メタル複合ケーブルとは、建物内に縦貫される通信幹線ケーブルの長さ方向の所定部分に、通信幹線ケーブルから分岐された光ファイバ心線やメタル対撚線に対して、各階に配線された分岐ケーブルの光ファイバ心線やメタル対撚線を接続可能な光分岐部およびメタル分岐部が、予め工場内で配設された分岐付の通信幹線ケーブルである。
光ファイバ心線およびメタル対撚線の各使用本数は任意である。例えば、それぞれ１本ずつでも２本以上ずつでもよい。光ファイバ心線の使用本数とメタル対撚線の使用本数とは、同じでも異なってもよい。
「２本のメタル心線が撚り合わされて構成された１本または複数本のメタル対撚線」とは、２本１組のメタル心線を撚り合わせたメタル対撚線が、１本でも、２本（メタル心線は４本）または３本（メタル心線は６本）以上でもよいことを意味する。
【０００９】
シース材の素材としては、例えば（難燃性）ポリエチレン、ポリ塩化ビニルなどを採用することができる。
光・メタル複合エレメントの構造は、少なくとも光ファイバ心線と、メタル対撚線と、これらを被覆して一体化するシース材とを有したものであれば任意である。
中心テンションメンバ（中心抗張力体）としては、例えば、単線のテンションメンバ、このテンションメンバを複数本撚り合わせたもの、または、これらを押し出し成形法に則りポリエチレンなどの合成樹脂によって被覆したものでもよい。テンションメンバの素材としては、例えばＦＲＰ、鋼線などを採用することができる。テンションメンバの直径は任意である。
【００１０】
「光・メタル複合エレメントの長さ方向の分岐位置」とは、光・メタル複合エレメントのうち、分岐が予定された位置（建物の各階位置）である。
光分岐部とは、光・メタル複合エレメントの光ファイバ心線であって、（建物の各階の）光用分岐ケーブルの光ファイバ心線が接続可能な部分である。光分岐部では、例えば光ファイバ心線の先端部に光コネクタを接続してもよい。
メタル分岐部とは、光・メタル複合エレメントのメタル対撚線であって、メタル用分岐ケーブルのメタル対撚線が接続可能な部分である。メタル分岐部では、例えばメタル対撚線の先端部にメタルコネクタを接続してもよい。ただし、これらの光コネクタおよびメタルコネクタは、各分岐部の必須の構成体ではない。
【００１１】
請求項２に記載の考案は、前記シース材は前記光ファイバ心線を支えるファイバ用テンションメンバを有し、かつ前記シース材は、前記メタル対撚線が管内に収納されるシース管部の一部と、前記光ファイバ心線および前記ファイバ用テンションメンバが一体的に封止されるシース柱部の一部とを、前記シース材の全長にわたってブリッジにより連結することで構成され、前記シース柱部の外周面には、該シース柱部をその幅方向へ引き裂くことで前記光ファイバ心線を露出させるノッチが、前記シース柱部の長さ方向の全長にわたって形成された請求項１に記載の分岐付光・メタル複合ケーブルである。
【００１２】
請求項２に記載の考案によれば、光・メタル複合エレメントとして、メタル対撚線が管内に収納されたシース管部の一部と、光ファイバおよびファイバ用テンションメンバが一体的に封止（埋設）されたシース柱部の一部とを、シース材の全長にわたりブリッジによって連結したものを採用している。これにより、分岐付光・メタル複合ケーブルと分岐ケーブルとの接続部、および、光・メタル複合エレメントの末端部において、ブリッジの形成部分からシース材をシース管部とシース柱部とに引き裂くことで、光・メタル複合エレメントを光ファイバ心線側の部分と、メタル対撚線（電話線）側の部分とに容易に分離することができる。
【００１３】
シース管部の長さ方向に直交する断面形状としては、例えば円形状、楕円形状、三角形状、四角形状または五角形以上の多角形状の他、任意形状でもよい。
シース柱部の長さ方向に直交する断面形状としては、例えば三角形、四角形、五角形以上の多角形状を採用することができる。その他、円形、楕円形または任意形状でもよい。
ファイバ用テンションメンバは、中心テンションメンバより小径なＦＲＰ、鋼線などの線材であり、シース柱部に埋め込まれることで、光ファイバ心線が埋設されたシース柱部の支持材となる。ファイバ用テンションメンバの埋設本数は、１本または２本以上でもよい。
【００１４】
ブリッジとは、シース管部の外周部の一部と、シース柱部の外周部の一部とを、シース材の全長にわたって一体的に連結する部材である。
シース材を構成しているシース管部とシース柱部とブリッジとは、例えばポリエチレンなどにより一体成形することができる。
ノッチは切り欠き溝で、シース柱部の長手方向に延びて形成されている。ノッチの形状としては、例えば断面Ｖ字形状、断面Ｕ字形状などを採用することができる。ノッチの形成数は１本でも、２本以上でもよい。例えば、シース柱部の１８０度離間した外周位置に２本形成させてもよい。この場合、両ノッチにより挟まれたシース柱部の中心部に光ファイバ心線を埋設させることができる。ただし、ノッチの形成位置は、シース柱部を縦割りした際に、光ファイバ心線が露出可能な位置であれば任意である。
【００１５】
「シース柱部をその幅方向へ引き裂くことで光ファイバを露出させる」とは、ノッチを中心にしてシース柱部を左右両側の部分に２分割することにより、シース柱部に埋設された光ファイバを露出させることをいう。このように、シース柱部はノッチを使用し、容易に裂くことができる構成となっている。
【考案の効果】
【００１６】
請求項１に記載の考案によれば、光ファイバ心線とメタル対撚線とが各光・メタル複合エレメントに組み込まれているので、従来のように分岐付光ケーブルと分岐付メタルケーブルという２種類の通信幹線ケーブルを、建物の例えばＥＰＳに縦貫する必要がない。その結果、建物の各階への光ファイバ心線とメタル対撚線とを含む通信線の布設時間の短縮が図れる。しかも、それに要する布設コストも削減することができる。さらには、光・メタル複合エレメントの長さ方向の分岐位置に、分岐付光・メタル複合ケーブル内の光ファイバ心線の光分岐部と、メタル対撚線のメタル分岐部とを簡単に集約させることができる。
【００１７】
請求項２に記載の考案によれば、光・メタル複合エレメントとして、メタル対撚線が収納されたシース管部の一部と、光ファイバおよびファイバ用テンションメンバが一体的に封止されたシース柱部の一部とを、シース材の全長にわたってブリッジにより連結したものを採用している。これにより、分岐付光・メタル複合ケーブルと分岐ケーブルとの接続部、および、光・メタル複合エレメントの末端部において、ブリッジの形成部分からシース材をシース管部とシース柱部とに引き裂くことで、光・メタル複合エレメントを、光ファイバ心線側の部分と、メタル対撚線側の部分とに容易に分離することができる。
【図面の簡単な説明】
【００１８】
【図１】この考案の実施例１に係る分岐付光・メタル複合ケーブルの要部正面図である。
【図２】この考案の実施例１に係る分岐付光・メタル複合ケーブルの長さ方向に直交する拡大断面図である。
【図３】この考案の実施例１に係る分岐付光・メタル複合ケーブルの一部を構成する光・メタル複合エレメントの長さ方向に直交する拡大断面図である。
【図４】この考案の実施例１に係る別の実施形態の分岐付光・メタル複合ケーブルの長さ方向に直交する拡大断面図である。
【図５】この考案の実施例１に係る別の実施形態の分岐付光・メタル複合ケーブルの一部を構成する別の光・メタル複合エレメントの長さ方向に直交する拡大断面図である。
【図６】この考案の実施例１に係る分岐付光・メタル複合ケーブルの建物への布設状態を示す正面図である。
【考案を実施するための形態】
【００１９】
以下、この考案に係る分岐付光・メタル複合ケーブルの実施例を図面に基づいて具体的に説明する。
【実施例】
【００２０】
図１〜図３において、１０はこの考案の実施例１に係る分岐付光・メタル複合ケーブルである。この分岐付光・メタル複合ケーブル１０は、１本の光ファイバ心線１１と、２本のメタル心線１２ａ，１２ｂが撚り合わされて構成された１本のメタル対撚線１２とを、難燃性ポリエチレンを押し出し成形したシース材１３により被覆して一体化させた光・メタル複合エレメント１４を、中心テンションメンバ１５の周囲に１６本集合させ、その後、これをバインド線１６によりタケノコ形状に縛り付け、各光・メタル複合エレメント１４の所定の位置に、光ファイバ心線１１の光分岐部１７と、メタル対撚線１２に接続されるメタル分岐部１８とを配設したものである。
【００２１】
次に、これらの構成体を具体的に説明する。
図２および図３に示すように、光・メタル複合エレメント１４は、自己を支える細長い１本の鋼線製のファイバ用テンションメンバ１９を有し、シース材１３は、メタル対撚線１２が管内に収納され、かつ長さ方向に直交する断面形状が円形のシース管部２０の一部（図３におけるシース管部２０の下端部）と、光ファイバ心線１１およびファイバ用テンションメンバ１９が一体的に封止され、かつ長さ方向に直交する断面形状が矩形状のシース柱部２１の一部（図３におけるシース柱部２１の上面の中間部）とを、シース材１３の全長にわたってブリッジ２２により連結させたものである。
【００２２】
シース柱部２１の両側面のうち、シース柱部２１の１８０度離間した外周位置には、シース柱部２１をその幅方向へ引き裂いて光ファイバ心線１１を露出させる断面Ｖ字形状のノッチ２３が、シース柱部２１の長さ方向の全長にわたって２本形成されている。光ファイバ心線１１は、両ノッチ２３に囲まれたシース柱部２１の中心部に埋め込まれている。また、前記ファイバ用テンションメンバ１９は、シース柱部２１の中央部付近（図３におけるシース柱部２１の下部の中心部）に埋設されている。なお、光・メタル複合エレメント１４に代えて、光ファイバ心線１１の支持力を高めるため、シース柱部２１にファイバ用テンションメンバ１９が２本埋め込まれた別の光・メタル複合エレメント１４Ａを採用してもよい（図４および図５）。この場合、両ファイバ用テンションメンバ１９は、シース柱部２１のうち、光ファイバ心線１１を中心とした両側付近（図５におけるシース柱部２１の上部の中心部と下部の中心部）に埋設されている。また、ここでは光・メタル複合エレメント１４Ａが、中心テンションメンバ１５の周囲に１５本集合されている（図４）。
【００２３】
図１、図２および図４に示すように、中心テンションメンバ１５は、鋼線からなる７本のテンションメンバ素線２４を撚り合わせ、これの外周に難燃性ポリエチレンを押し出し成形して厚肉な被覆２５を形成したものである。中心テンションメンバ１５の外周面には、第１層の６本の光・メタル複合エレメント１４がバインド線１６により緊縛され、さらに第２層の１０本の光・メタル複合エレメント１４がバインド線１６により緊縛されている。タケノコ状に配置された各光・メタル複合エレメント１４は、その先端部が光ファイバ心線１１とメタル対撚線１２とに分岐され、この分岐された光ファイバ心線１１の先端部が前記光分岐部１７で、この分岐されたメタル対撚線１２の先端部が前記メタル分岐部１８となっている。また、中心テンションメンバ１５の上端部には、吊りリング２６が形成されている。
【００２４】
次に、図６を参照してこの考案の実施例１に係る分岐付光・メタル複合ケーブル１０を、各階３室、４階建てのオフィスビル２７に布設する方法を説明する。ここでは、分岐付光・メタル複合ケーブル１０として、中心テンションメンバ１５の周囲に、合計１２本の光・メタル複合エレメント１４を各階３本ずつ配設した４段式のタケノコ型のものを採用している。
分岐付光・メタル複合ケーブル１０は、その元部が地上設置の光ケーブルとメタルケーブルとの混合ケーブル２８Ａが集線する複合型ＭＤＦ２８（主配線盤）に接続される一方、オフィスビル２７のＥＰＳ２９に、吊りリング２６を介して吊り下げられた通信幹線ケーブルである。
また、ＥＰＳ２９の各階の天井に該当する部分には、光ファイバ心線１１およびメタル対撚線１２を接続する複合型ＩＤＦ（中間配線盤）３４が、１台ずつ配設されている。さらに、各階の３つの室には、回線終端装置３８が１台ずつ配設されている。各階において、複合型ＩＤＦ３４と各回線終端装置３８とは、光ファイバ心線１１とメタル対撚線１２とが配設された分岐複合ケーブル３７により接続されている。
【００２５】
次に、図６を参照して、実施例１の分岐付光・メタル複合ケーブル１０のオフィスビル２７への布設方法を説明する。
図６に示すように、まずオフィスビル２７のＥＰＳ２９に、下端部が複合型ＭＤＦ２８に接続された分岐付光・メタル複合ケーブル１０を吊りリング２６を介して縦貫する（吊り込む）。
その後、各階において、分岐付光・メタル複合ケーブル１０の光ファイバ心線１１の光分岐部１７およびメタル対撚線１２のメタル分岐部１８を、複合型ＩＤＦ３４の入力側にそれぞれ接続する。
【００２６】
その後、各室のユーザは、自由選択によって、回線終端装置３８の出力側に光通信ケーブルの光コネクタを接続するか、メタル通信ケーブルのメタルコネクタを接続するなお、分岐付光・メタル複合ケーブル１０の光ファイバ心線１１を使用する際には、シース柱部２１の両側面に形成された一対のノッチ２３を利用し、シース柱部２１をその幅方向へ引き裂いて光ファイバ心線１１を露出させて使用する。
【００２７】
このように、光ファイバ心線１１とメタル対撚線１２とを有する各光・メタル複合エレメント１４が組み込まれた分岐付光・メタル複合ケーブル１０を使用するので、従来のように分岐付光ケーブルと分岐付メタルケーブルという２種類の通信幹線ケーブルを、ＥＰＳ２９に縦貫する必要がない。その結果、オフィスビル２７の各階への光ファイバ心線１１とメタル対撚線１２との布設時間の短縮が図れる。しかも、それに要する布設工事のコストも削減することができる。さらには、分岐が予定された区間（各階）ごとに、分岐付光・メタル複合ケーブル１０内の光ファイバ心線１１の光分岐部１７と、メタル対撚線１２のメタル分岐部１８とを簡単に集約させることができる。
【００２８】
また、光・メタル複合エレメント１４として、メタル対撚線１２が収納されたシース管部２０の一部と、光ファイバ心線１１およびファイバ用テンションメンバ１９が一体的に封止されたシース柱部２１の一部とを、シース材１３の全長にわたりブリッジ２２によって連結したものを採用した。そのため、分岐付光・メタル複合ケーブル１０と分岐複合ケーブル３７との接続部および光・メタル複合エレメント１４の末端部において、ブリッジ２２の形成部分からシース材１３をシース管部２０とシース柱部２１とに引き裂いて、光・メタル複合エレメント１４を、光ファイバ心線１１側の部分と、メタル対撚線１２側の部分とに容易に分離することができる。
【産業上の利用可能性】
【００２９】
この考案は、例えば、通信幹線用の分岐付複合ケーブルとして有用である。
【符号の説明】
【００３０】
１０  分岐付光・メタル複合ケーブル、
１１  光ファイバ心線、
１２  メタル対撚線、
１２ａ，１２ｂ  メタル心線、
１３  シース材、
１４，１４Ａ  光・メタル複合エレメント、
１５  中心テンションメンバ、
１７  光分岐部、
１８  メタル分岐部、
１９  ファイバ用テンションメンバ、
２０  シース管部、
２１  シース柱部、
２２  ブリッジ、
２３  ノッチ。
【図１】
0003156316.tif 000003
【図２】
0003156316.tif 000004
【図３】
0003156316.tif 000005
【図４】
0003156316.tif 000006
【図５】
0003156316.tif 000007
【図６】
0003156316.tif 000008